Podtech/llm-jp-corpus-v4-ja_patent huggingface dataset:
(57)【要約】【課題】自動的に通信装置の通信記録をレコーディングでき、且つ所定の記録数に達した場合にまたは所定の時間に達した場合にまたは即時実行のコマンドを受け取る場合に自動的に記録テーブルを電子メールの形式によって予め設定される個人または複数のユーザーに送信して参考に供する方法を提供する。【解決手段】ユーザーがドキュメントを送信または受信することを入力するステップ（ａ）と、　自動的なフィードバックの方式によってそれぞれの送信または受信の通信記録をレコーディングするステップ（ｂ）と、テーブルまたはフォーマットの方式によってすべての通信記録を累積するステップ（ｃ）と、既に設定される時間や設定される記録数や即時実行するコマンドを受信しているかのことを判断するステップ（ｄ）と、Ｙｅｓである場合に前記テーブルやフォーマットを電子メールによって予め設定される個人または複数の指定される受取人に送信することによって参考に供するステップ（ｅ）とを有する。【選択図】　　　図１
2004070596.tif 000002
【特許請求の範囲】
【請求項１】
通信装置において電子メールの形式によって自動的に通信記録をフィードバックする方法において、次のようなステップを有する：
ユーザーがドキュメントを送信または受信することを入力するステップ（ａ）と、
自動的なフィードバックの方式によってそれぞれの送信または受信の通信記録をレコーディングするステップ（ｂ）と、
テーブルまたはフォーマットの方式によってすべての通信記録を累積するステップ（ｃ）と、
既に設定される時間や設定される記録数や即時実行するコマンドを受信しているかのことを判断するステップ（ｄ）と、
Ｙｅｓである場合に前記テーブルやフォーマットを電子メールによって予め設定される個人または複数の指定される受取人に送信することによって参考に供するステップ（ｅ）とを有することを特徴とする電子メールの形式によって自動的に通信記録をフィードバックする方法。
【請求項２】
前記ステップ（ｂ）における自動的にフィードバックする方法としてファクシミリや電子メールやファイル伝送通信プロトコルなどの方式を採用できることを特徴とする請求項１に記載の電子メールの形式によって自動的に通信記録をフィードバックする方法。
【請求項３】
前記ステップ（ｂ）における通信記録には通信シリアルナンバーと差出人と受取人とドキュメントの枚数と時間などの関連情報を含むことを特徴とする請求項１に記載の電子メールの形式によって自動的に通信記録をフィードバックする方法。
【請求項４】
前記ステップ（ｄ）において設定される時間に達していない場合、または即時実行のコマンドを受信していない場合、または設定される記録数に達していない場合では前記ステップ（ｂ）に戻って仕事を続けることを特徴とする請求項１に記載の電子メールの形式によって自動的に通信記録をフィードバックする方法。
【発明の詳細な説明】
【０００１】
【発明の属する技術分野】
本発明は電子メールの形式によって自動的に通信記録をフィードバックする方法に係わり、特に自動的に通信装置の通信記録をレコーディングでき、且つ所定の記録数に達した場合にまたは所定の時間に達した場合にまたは即時実行のコマンドを受け取る場合に自動的に記録テーブルを電子メールの形式によって予め設定される個人または複数のユーザーに送信して参考に供する方法に関する。
【０００２】
【従来の技術】
さて、現有の通信装置、例えばインターネットファクシミリなどは、インターネットにおける電子メールによってファクシミリ情報を送信でき、その製品が複数のユーザーの使用に供でき、電子メールの形式によってイメージ情報を送信できる。
【０００３】
しかしながら、そのような製品が使用される際に、単にファクシミリの方式によってそれぞれの送信または受信しようとする通信記録（それらには通信シリアルナンバーやドキュメント枚数や時間などを含有する）しか印刷することができず、管理と使用上の効率が低下する。
【０００４】
【発明が解決しようとする課題】
そのため、本発明は設計が合理的で、通信装置の管理および使用における効率を向上できる、電子メールの形式によって自動的に通信記録をフィードバックできる方法を提供する。
【０００５】
【課題を解決するための手段】
前記の目的を図るために、本発明の作法は通信装置に対しユーザーがドキュメントを送信または受信し、電子メールやファイル通信協定（ＦＴＰ）やファクシミリなどの自動フィードバックの方式によってそれぞれの送信または受信の通信記録をレコーディングし、且つテーブルやフォーマットなどの方式によってすべての通信記録を累積し、所定の時間に達した場合にまたは即時実行のコマンドが発行される場合にまたは所定の記録数に達した場合に前記テーブルや前記フォーマットを純文字または電子ドキュメントまたは図形ファイルに転換する形式によって電子メールの方式にて予め設定される個人や複数のユーザーに送信して参考に供する。
【０００６】
【発明の実施の形態】
図１に示すのは本発明のフローチャートであり、それはある通信装置において電子メールの形式によって自動的に通信記録をフィードバックする方法であり、次のようなステップを包含している。
【０００７】
ユーザーがドキュメントを送信または受信することを入力するステップ（ａ）と、
電子メールやファイル通信協定（ｆｉｌｅ　ｔｒａｎｓｆｅｒ　ｐｒｏｔｏｃｏｌ　，　ＦＴＰ）またはファクシミリなどの自動フィードバック方式によって、それぞれの回の送信または受信の通信記録をレコーディングし、前記通信記録には通信シリアルナンバーや差出人や受取人やドキュメント枚数や時間などの関連情報を包含している、ステップ（ｂ）と、
テーブルまたはフォーマットによってすべての通信記録を累積するステップ（ｃ）と、
既に特定の時間（例えば毎日のＰＭ：６：００）または既に特定の記録個数（例えば６０個）に達したかを判断するステップ（ｄ）と、
Ｙｅｓである場合、前記テーブルまたはフォーマットを純文字（ＴＸＴ）によって電子ドキュメントまたは図形ファイルの形式に転換してから電子メールの方式によって予め設定される個人または複数のユーザーに送信し、参考に供し、さもなければステップ（ｂ）に戻って、実行を続ける。
【０００８】
前記の方法によって前記通信装置の管理および使用における効率を向上する。
【０００９】
前記に説明した通り、本発明によって、自動的に通信装置の通信記録を記録でき、所定の時間に達した場合にまたは即時のコマンドが発行される場合にまたは所定の記録数に達した場合に、テーブルまたはフォーマットになった記録を純文字によって電子メールや図形ファイルに転換してから電子メールの形式によって予め設定される個人や複数のユーザーに送信して参考に供し、それによって通信装置の管理における使用効率を向上することができる。
【図面の簡単な説明】
【図１】本発明を示すフローチャートである。
【符号の説明】
【図１】
2004070596.tif 000003
(57)【要約】【課題】電源投入時に通信機器用レギュレータの出力部の外付け容量に流れる過電流をおさえた過電流防止回路を提供する。【解決手段】第１のＭＯＳトランジスタ１１のＮ（Ｎ；整数）分の１サイズの第３のＭＯＳトランジスタ１３に流れる電流が第３の抵抗３３に流れる。この電圧と基準電圧源電圧ＶＲＥＦとを比較し、比較した結果によって第２のＭＯＳトランジスタ１２をＯＮ／ＯＦＦすることで第１のＭＯＳトランジスタ１１のゲートを制御する。この構成により第３のＭＯＳトランジスタ１３に流れる電流のＮ倍以上の電流が第１のＭＯＳトランジスタ１１に流れないように過電流の大きさを調節する。【選択図】　図１
2004070472.tif 000002
【特許請求の範囲】
【請求項１】
反転，非反転入力端子及び出力端子を備えた電圧電流変換器と、
反転，非反転入力端子及び出力端子を備えた比較器と、
前記電圧電流変換器の反転入力端子に接続された第１の基準電圧源と、
前記電圧電流変換器の非反転入力端子の各一端が接続された第１の抵抗及び第２の抵抗とを備え、
第２の抵抗と接地端子を接続し、前記電圧電流変換器の電源端子と第１のＭＯＳトランジスタのソースを接続し、第１のＭＯＳトランジスタのドレインと第１の抵抗及び第１の容量とを接続した過電流防止回路であって、
第１のＭＯＳトランジスタのゲート及び第２のＭＯＳトランジスタのドレイン、第３のＭＯＳトランジスタのゲートとを接続し、第２のＭＯＳトランジスタのソースと第１の電源端子を接続し、
第２のＭＯＳトランジスタのゲートと前記比較器の出力端子とを接続し、前記比較器の非反転入力端子と第１の基準電圧源を接続し、前記比較器の反転入力端子と第３の抵抗を接続すると共に第３の抵抗と前記接地端子を接続し、第３のＭＯＳトランジスタのドレインを接続し、第３のＭＯＳトランジスタのソースと第１の電源端子を接続したことを特徴とする過電流防止回路。
【発明の詳細な説明】
【０００１】
【発明の属する技術分野】
本発明は、電源投入時に通信機器用レギュレータの出力部の外付け容量に流れる過電流をおさえた過電流防止回路に関するものである。
【０００２】
【従来の技術】
図２は従来のレギュレータである。
【０００３】
電圧電流変換器３の出力部にトランジスタ４１のベースが接続され、トランジスタ４１のコレクタが、抵抗３１，３２の縦続接続とこの縦続接続に並列に接続された容量２１の各一端に接続されている。このような、図２における従来の回路構成において、電源投入時に外付け容量にトランジスタ４１から過電流が流れる。さらに、このレギュレータと同様な複数のレギュレータが電源投入時に動作する場合には、この過電流によって２次電池（充電電池）の電圧が下がり、電池電圧が機器のリセット電圧より下がるという問題が生じていた。
【０００４】
【発明が解決しようとする課題】
本発明は上記の従来の課題を解決するものであり、レギュレータの出力段のトランジスタに流れる過電流の大きさを制限する過電流防止回路を提供することを目的とする。
【０００５】
【課題を解決するための手段】
この目的を達成するために本発明の過電流防止回路は、第１のＭＯＳトランジスタ１１のＮ（Ｎ；整数）分の１サイズの第３のＭＯＳトランジスタ１３に流れる電流が第３の抵抗３３に流れる。この電圧と基準電圧源電圧ＶＲＥＦとを比較し、比較した結果によって第２のＭＯＳトランジスタ１２をＯＮ／ＯＦＦすることで第１のＭＯＳトランジスタ１１のゲートを制御する。
【０００６】
この構成により第３のＭＯＳトランジスタ１３に流れる電流のＮ倍以上の電流が第１のＭＯＳトランジスタ１１に流れないように過電流の大きさを調節する。
【０００７】
【発明の実施の形態】
本発明の請求項１に記載の発明は、第１の電圧電流変換器の反転入力端子に第１の基準電圧源を接続し、前記第１の電圧電流変換器のプラス入力と第１の抵抗と第２の抵抗を接続し、前記第２の抵抗と接地端子を接続し、前記電圧電流変換器の電源端子と第１のＭＯＳトランジスタのソースを接続し、前記第１のＭＯＳトランジスタのドレインと前記第１の抵抗と第１の容量を接続した回路構成に前記第１のＭＯＳトランジスタのゲートと第２のＭＯＳトランジスタのドレインと第３のＭＯＳトランジスタのゲートを接続し、前記第２のＭＯＳトランジスタのソースと前記第１の電源端子を接続し、前記第２のＭＯＳトランジスタのゲートと第１の比較器を接続し、前記第１の比較器の非反転入力端子と前記第１の基準電圧源を接続し、前記第１の比較器との反転入力端子と第３の抵抗と第３の抵抗と接地端子を接続し、第３のＭＯＳトランジスタのドレインを接続し、第３のＭＯＳトランジスタのソースと第１の電源端子を接続した回路を備えたことにより電源投入時の過電流の大きさをおさえることを可能にした。
【０００８】
以下本発明の実施の形態について、図面を参照しながら説明する。
【０００９】
図１は第１の実施形態における過電流防止回路を示すものである。
【００１０】
図１において、１は電源端子、２は接地端子、３は電圧電流変換器、４は基準電圧源、５は出力端子、６は比較器、２１は容量である。１１は第１のＭＯＳトランジスタ、１２は第２のＭＯＳトランジスタ、１３は第３のＭＯＳトランジスタ、３１は第１の抵抗、３２は第２の抵抗、３３は第３の抵抗である。
【００１１】
以上のように構成された第１の実施形態の過電流防止回路について動作の説明をする。
【００１２】
電源ＶＣＣ投入時において第１のＭＯＳトランジスタ１１に流れる過電流のＮ分の１の値の過電流が第３のＭＯＳトランジスタ１３に流れ、そのＮ分の１の過電流と第３の抵抗３３によって発生する電圧Ｖと基準電圧源を比較器６で比較する。ここで、基準電圧源より高いと第２のＭＯＳトランジスタ１２をＯＮさせて第１のＭＯＳトランジスタ１１と第２のＭＯＳトランジスタ１２をＯＦＦさせる。上記の発生電圧が下がると通常動作にもどる。この構成を備えることで外付け容量に過電流が流れることを防止する。
【００１３】
以上の様に第１の実施形態によれば従来の回路の第１のＭＯＳトランジスタ１１のゲートを制御する第２のＭＯＳトランジスタ１２と第１のＭＯＳトランジスタ１１のサイズ比の違う第３のＭＯＳトランジスタ１３とＮ分の１の過電流が流れる第３の抵抗３３と第３の抵抗３３とＮ分の１の過電流によって発生する電圧と基準電圧源を比較する比較器を備えることにより電源投入時の過電流を防止することを可能にした。
【００１４】
【発明の効果】
以上の様に本発明は、レギュレータの出力段のパワーＭＯＳトランジスタに流れる過電流の大きさを調節することができる。
【図面の簡単な説明】
【図１】本発明の第１の実施形態を示す構成図
【図２】従来例を示す構成図
【符号の説明】
１　電源端子
２　接地端子
３　電圧電流変換器
４　基準電圧源
５　出力端子
６　比較器
１１　　第１のＭＯＳトランジスタ
１２　　第２のＭＯＳトランジスタ
１３　　第３のＭＯＳトランジスタ
２１　　第１の容量
３１　　第１の抵抗
３２　　第２の抵抗
３３　　第３の抵抗
【図１】
2004070472.tif 000003
【図２】
2004070472.tif 000004
(57)【要約】【課題】制御基板とパワー部の相互間の信号線を減じ、信頼性の向上を目指すと共に１対Ｎ接続の汎用サーボとしても使用可能とする物である。【解決手段】位置フィードバックを制御基板で取り込みＡＣサーボに於いてはトルクと電気角に該当するデータ等をサーボライブ（パワードライブ）に送り、サーボドライブ部ではこのデータを用いてモータに電力を供給するタイミングを作成する。【選択図】　　図１
2004070422.tif 000002
【特許請求の範囲】
【請求項１】
ネットワーク対応のサーボに於いて、通常は１対Ｎのマルチドロップのサーボとし位置や速度及びトルクの指令を受け。上位コントローラが位置を管理する構成時、ネットワークを通じ上位コントローラからトルク、電気角等の必要情報を与えられモータを駆動することを特徴とするサーボドライブの構成方式。
【請求項２】
トルク、電気角の指令を受ける時サーボ側のＣＰＵは自分の内部タイマーと前々回及び前回のデータから逐次予測データを作成し、微小時間でのデータを作成し上位コントローラからのデータが不連続、かつ散発的でも必要なデータを補間作成することを特徴とするサーボドライブの構成方式。
【請求項３】
アドレス設定スイッチとデージーチェーン接続コネクターを着脱可能とし、アドレス設定スイッチが無いときは特定のアドレスになる様に抵抗でアドレス信号を固定し、特定アドレスになった事をＣＰＵが判断し１対１の接続としたことを特徴とするサーボドライブの構成方式。
【発明の詳細な説明】
【０００１】
【発明の属する技術分野】
本願はロボット等の様に１個のＣＰＵで複数軸を制御するサーボドライブの構成方式に関する。
【０００２】
【従来の技術】
従来はサーボのゲートコントロールのＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）をＣＰＵと同一の制御基板上に搭載しゲートドライブ信号を各々のパワードライブに与え、電流フィードバックはパワードライブから前記制御基板上のＡＳＩＣに戻していた。
【０００３】
【発明が解決しようとする課題】
制御基板とパワー部の相互間の信号線を減じ、信頼性の向上を目指すと共に１対Ｎ接続の汎用サーボとしても使用可能とする物である。
【０００４】
【課題を解決するための手段】
位置フィードバックを制御基板で取り込みＡＣサーボに於いてはトルクと電気角に該当するデータ等をサーボライブ（パワードライブ）に送り、サーボドライブ部ではこのデータを用いてモータに電力を供給するタイミングを作成する。
【０００５】
【発明の実施の形態】
図１は通常のネットワークドライブの構成である。コントローラ１から伝送路５でサーボ２に１対Ｎで指令が与えられる。サーボ２はモータ３に電流を流し位置フィードバックをエンコーダ４から取り込む。
図２はエンコーダ出力をデェージーチェーンにした物である、
最近のエンコーダはシリアル伝送化されているので上位コントローラが特定軸に対してアドレス付きで送信要求を送るとその軸だけが必要情報を返送する、ロボット等で信号線削減の為にこの方法が要求されている。
この時、サーボ２は位置管理が出来ないのでコントローラ１からトルクと電気角の指令を受ける事になる。コントローラ１からの接続は１対１になっているがコントローラ１の処理が遅く指令の払い出しが遅い時は図１の様な１対Ｎで有ることは妨げず、このときはサーボ内部のＣＰＵがデータを自生する。
また、図２の状態で高速処理を要する物はエンコーダ４、指令ともに１対１となる。１対Ｎ接続時はサーボ２ではアドレス設定ＳＷとデェージーチェーン接続にコネクターが２個必要となる、エンコーダ４に於いてアドレス設定は内部ＥＥＲＯＭに特願平０８−００２９２８号記載のアドレス指定方式の様にして書き込まねばならず且つコネクターは２個付けて置くなど工夫は無い。図１のデェージーチェーンは比較的長い距離を念頭に置いているが、図２の様な動作環境は同一盤内でその距離は１ｍ以内で有り、堅牢なケーブルやコネクターを必要としない。
本願に置いてはこの２個のコネクターとアドレス設定ＳＷを取り外す事を可能とする。
次に，図３にデェージーチェーン接続例における基板とコネクタの構成図を示す。図３（ａ）においては、デェージーチェーン接続用のコネクタＡを２個とアドレス設定ＳＷが小型の基板Ｃに取り付けられると共に、サーボ本体側の基板ＣとコネクタＢで接続される事を示す、コネクタＡは終端ではターミネータと言われる終端抵抗を取り付ける、この小型の基板Ｃを外すと、図３（ｂ）のようにコネクタＢに簡単なコネクタでケーブルをつなぐ事が出来る、アドレス設定ＳＷの入力は抵抗でプルアップ、プルダウンして置くことで常に一定の値になる、又内部に抵抗と信号をつないだ物を用意する事でコネクタのジャンパーでターミネーションが可能になる。
【０００６】
【発明の効果】
通常の１対Ｎ接続のサーボを上位コントローラが位置を管理するロボットタイプのサーボとして使用出来且つコネクター部の工夫等でコストの低下を可能にする。
【図面の簡単な説明】
【図１】通常のネットワークドライブの構成図
【図２】エンコーダ出力をデェージーチェーンにした図
【図３】デェージーチェーン接続例を示す基板とコネクタの構成図
【符号の説明】
１　コントローラ、
２　サーボ
３　モータ、
４　エンコーダ、
５　伝送路、
Ａ　コネクタ、
Ｂ　コネクタ、
Ｃ　基板、
ＳＷ　アドレス設定、
【図１】
2004070422.tif 000003
【図２】
2004070422.tif 000004
【図３】
2004070422.tif 000005
(57)【要約】【課題】工事計画から検収までがスムーズに進行しリアルタイムで進捗状況が把握でき発注業務の負担を軽減できる工事管理システムを提供する。【解決手段】ネットワークに接続された複数のクライアントとサーバーとを備え、サーバーは、工事管理データ格納手段を有し、クライアントは工事計画登録データ入力手段、工事購入依頼登録データ入力手段、業者選定データ入力手段、発注登録データ入力手段、検収日データ入力手段、進捗状況表示手段を有する。【選択図】図１
2004070482.tif 000002
【特許請求の範囲】
【請求項１】
ネットワークに接続された複数のクライアントとサーバーとを備え、サーバーは、工事管理データ格納手段を有し、少なくとも１つのクライアントは工事計画登録データ入力手段を有し、少なくとも１つのクライアントは工事購入依頼登録データ入力手段を有し、少なくとも１つのクライアントは業者選定データ入力手段を有し、少なくとも１つのクライアントは発注登録データ入力手段を有し、少なくとも１つのクライアントは検収日データ入力手段を有し、少なくとも１つのクライアントは進捗状況表示手段を有することを特徴とする工事管理システム。
【請求項２】
進捗状況表示手段が、色をもって表示することで進捗状況を区別することを特徴とする請求項１記載の工事管理システム。
【発明の詳細な説明】
【０００１】
【発明の属する技術分野】
本発明は、ネットワークを利用した工事管理システムに関するものである。
【０００２】
【従来の技術】
従来の工事管理は個別ケース毎に計画、発注、検収が行われていた。
【０００３】
【発明が解決しようとする課題】
従来の工事管理は個別ケース毎に計画、発注、検収が行われていたために、工事全体の進捗状況、経費の実績の把握が大変であった。本発明の目的は、工事計画から検収までがスムーズに進行しリアルタイムで進捗状況が把握でき発注業務の負担を軽減できる工事管理システムを提供することである。
【０００４】
【課題を解決するための手段】
本発明の工事管理システムは、ネットワークに接続された複数のクライアントとサーバーとを備え、サーバーは、工事管理データ格納手段を有し、少なくとも１つのクライアントは工事計画登録データ入力手段を有し、少なくとも１つのクライアントは工事購入依頼登録データ入力手段を有し、少なくとも１つのクライアントは業者選定データ入力手段を有し、少なくとも１つのクライアントは発注登録データ入力手段を有し、少なくとも１つのクライアントは検収日データ入力手段を有し、少なくとも１つのクライアントは進捗状況表示手段を有することを特徴としている。
【０００５】
更に、前記進捗状況表示手段は、色をもって表示することで進捗状況を区別することを特徴としている。
【０００６】
【発明の実施の形態】
サーバー１は、プロセッサによりプログラム制御で動作する制御部と、ネットワーク２とデータのやり取りを行うインタフェース部と、記憶部とから構成される。
【０００７】
クライアント３は、プロセッサによりプログラム制御で動作する制御部と、ネットワーク２とデータのやり取りを行うインタフェース部と、データを表示する表示部と、データの入力等を行う入力部とから構成される。なお、入力部は、キーボードおよびマウス等を含む。
【０００８】
サーバー１に格納される工事管理データは、クライアント３から入力される工事計画登録データ、工事購入依頼登録データ、業者選定データ、発注登録データ、検収日データ等であり分類されテーブルとして格納さる。
【０００９】
工事計画登録データ、工事購入依頼登録データ、業者選定データ、発注登録データ、検収日データ等を入力できるクライアント３及び進捗状況を表示できるクライアント３はそれぞれ必要な事業所、本社等の必要部門に設置される。
【００１０】
まず、担当部門で工事計画書が作成されるとこれに基づき工事計画登録データ入力手段を有するクライアント３−１から年度、事業所区分、工事区分、工事計画名称、予算額、月別検収予想等の工事計画登録データが入力される。次に、工事購入依頼登録部門のクライアント３−２で、工事購入名称、原価部門、仕様、数量、見積区分、希望納期、固定資産番号等の工事購入依頼登録データが入力される。この工事購入が認証されると引き続き、業者選定部門のクライアント３−３で、見積希望先、希望メーカー、勘定科目等の業者選定データが入力される。その後、業者選定部門で業者が決定され、業者名、決定納期、決定金額、決定支払条件等の発注登録データがクライアント３−４から入力される。その後工事が行われ検収が完了すると、検収日等の検収日データが該当部門のクライアント３−５から入力される。これら各登録場面では、画面に必要項目を表形式で表示しておくと入力忘れを防止できる。これらの入力段階では必要によりデータ修正の権限のあるものによりデータ修正ができる。
【００１１】
以上入力されたデータに基づき、随時、必要部署で、発注一覧表、検収一覧表、発注検収一覧表、工事予算管理台帳、工事費実績表、納品予定リスト等の進捗状況をクライアント３−６の表示部に画面表示することができる。本発明においてクライアント３−１ないし３−６は同一クライアント３であっても異なるクライアント３であってもよい。
【００１２】
また、以上入力されたデータに基づき、随時、必要部署で必要な様式の伝票を出力できる。このとき伝票にバーコードを同時に印刷しておき、そのバーコードを入力に利用するとデータミスなく入力することができる場合もある。
【００１３】
進捗状況表示は、種類毎に色をもって表示し、又は遅延状況が分かるよう色をもって表示すると進捗状況を把握し易い。例えば、終了が青色表示、未着手が色なしの表示をそれぞれ項目の箇所に示す。
【００１４】
また、工事計画一覧表、工事実績一覧表、原価部門別工事費一覧表、扱い部門別工事費実績一覧表等の表もクライアント３の表示部に画面表示することができる。
【００１５】
【発明の効果】
本発明によれば、ネットワークに接続された複数のクライアントとサーバーとを備え担当部署のクライアントから作業の段階別に管理データが入力され必要な様式で随時データ出力できリアルタイムで進捗状況も表示されるので工事計画から検収までを管理し易くスムーズに行うことができる。前の段階で入力されたデータを用いて定型様式で出力されるので発注業務等もミスなく容易にできる。進捗状況表示を種類毎に色をもって表示し又は遅延状況が分かるよう色をもって表示すると進捗状況をさらに容易に把握できる。
【図面の簡単な説明】
【図１】本発明の実施の形態を示すシステム構成図である。
【符号の説明】
１　　サーバー
２　　ネットワーク
３　　クライアント
【図１】
2004070482.tif 000003
(57)【要約】【課題】１種類のカードしか挿入できないようにしたマルチメモリーカードリーダ装置を提供することを課題とする。【解決手段】２種類のスロット２，３を上下に設けたハウジング１の右側にコ状の挿入防止部材４をシーソーのように軸５によって枢着する。両腕を遮断部４ａ，４ｂとし、各先端にそれぞれテーパ面４ａ’，４ｂ’を設ける。通常、このテーパ面４ａ’，４ｂ’だけがスロット２，３の開口部に突出する姿勢を維持するように、バネ部材６によって挿入防止部材４を弾圧する。【選択図】　図１
2004070640.tif 000002
【特許請求の範囲】
【請求項１】
複数のカードスロットを有するマルチメモリーカードリーダ装置において、各カードスロットにメモリーカードの挿入により押し動かされ、他のカードスロットにメモリーカードが挿入された時はカードスロットの開口部に突出してメモリーカードの挿入を防止する挿入防止部材を設けたことを特徴とするマルチメモリーカードリーダ装置。
【発明の詳細な説明】
【０００１】
【発明の属する技術分野】
本発明は、スマートメディア、コンパクトフラッシュ（登録商標）、メモリースティック、ＳＤカード、ＭＭＣマイクロドライブなどの２種類以上の大きさの異なるカードスロットを有するマルチメモリーカードリーダ装置に関し、詳しくは１種類のカードを挿入した時、他のカードスロットにはカードを挿入できないようにしたマルチメモリーカードリーダ装置に関するものである。
【０００２】
【従来の枝術】
周知のように、マルチメモリーカードリーダ装置は、各メモリーカード専用のカードスロットを複数並設したものであるが、２種類以上のメモリーカードを誤挿入すると、回路がフリーズしてしまうことがあった。
【０００３】
【発明が解決しようとする課題】
そこで、本発明は、１種類のカードが挿入された場合、他のカードスロットにはカードが挿入できなくなるようになる、即ち１種類のカードしか挿入できないようにしたマルチメモリーカードリーダ装置を提供することを課題とするものである。
【０００４】
【課題を解決するための手段】
本発明は、上記の課題を解決するためになされたもので、複数のカードスロットを有するマルチメモリーカードリーダ装置において、各カードスロットにメモリーカードの挿入により押し動かされ、他のカードスロットにメモリーカードが挿入された時はカードスロットの開口部に突出してメモリーカードの挿入を防止する挿入防止部材を設け、１種類のメモリーカードを所定のカードスロットに挿入した時は、他の種類のカードスロットへは前記挿入防止部材が邪魔をしてメモリーカードの挿入が出来なくなるようにしたものである。
【０００５】
【発明の実施の形態】
【０００６】
【実施例１】
図１は、本発明の実施例１を示すもので、１は２種類のスロット２，３を上下に設け、右側にコ状の挿入防止部材４を軸５によって枢着して、シーソーのように揺動自在に取付けたハウジングである。
【０００７】
そして、このコ状の挿入防止部材４は、両腕の遮断部４ａ，４ｂの先端にそれぞれテーパ面４ａ’，４ｂ’が設けられていて、通常は、このテーパ面４ａ’，４ｂ’だけがスロット２，３の開口部に突出する姿勢を維持するように、バネ部材６，６によって弾圧されている。
【０００８】
従って、図２に示すように、スロット２にカードＡを挿入すると、カードＡは、挿入防止部材４のテーパ面４ａ’をバネ部材６に抗して右方に押し退けて、挿入防止部材４を揺動させ、反対側の遮断部４ｂをスロット３の開口部に突出させ、スロット３へのカードＢの挿入を遮断する。
【０００９】
そして、逆に図３に示すように、スロット３にカードＢを挿入すると、カードＢは挿入防止部材４のテーパ面４ａ’をバネ部材６に抗して右方に押し退けて、挿入防止部材４を揺動させ、開口部に突出させ、スロット２へのカードＡの挿入を遮断する。
【００１０】
即ち、一方のスロットにカードを挿入すると、他方のスロットへはカードの挿入が出来なくなる。
【００１１】
【実施例２】
以上、説明した実施例は、上下２段にスロットを設けた場合のものであるが、３段以上にスロットを設ける場合は、挿入防止部材をプッシュ釦形式に構成し、１種のカードをスロットに挿入した時、他のスロットの開口部には遮断部が突出するように構成する。
【００１２】
【実施例３】
スロットを左右に設けるものでは、スロット間に左右にスライドする挿入防止部材を設ける構成とする。
【００１３】
【実施例４】
図４は上下３段にスロット１２，１３，１４を設けた場合の実施例４を示すもので、１１はハウジング、１５は軸、１６，１６’はテーパ面４ａ、４ａを設け、且つ連動カム部１７，１７を設けたコ状の挿入防止部材である。
【００１４】
この実施例４は実施例１を基本とし、連動させるために、挿入防止部材の形状を図５に示すように工夫すると共に、連動カム部１７，１７を設けたものであり、図６の（ａ）図に示すように、最上部のスロット１２にカードを挿入すると、上部の挿入防止部材１６が時計方向に回動し、それに伴って連動カム部１７によって下部の挿入防止部材１６’も時計方向に回動し、スロット１３とスロットへのカード挿入を防止する状態となる。
【００１５】
また、図６の（ｂ）図に示すように中段のスロット１３にカードを挿入した場合は、図６の（ｂ）図に示すように、上部の挿入防止部材１６は反時計方向に回動し、下部の挿入防止部材１６’は時計方向に回動してスロット１２とスロット１４へのカードの挿入を阻止する状態となる。
【００１６】
また、最下段のスロット１４にカードを挿入した時は、上部の挿入防止部材１６は連動カム部１７により挿入防止部材１６’と共に反時計方向に回動し、最上段と中段のスロット１２，１３へのカードの挿入を阻止する状態となる。尚、３段以上にスロットを設ける場合は、同じ要領で挿入防止部材を設ければよい。
【００１７】
以上例示した実施例は、何れもカード非挿入時において、いずれもバネ部材により挿入防止部材のテーパ面のみがスロットの開口部に突出するように構成したものであるが、この構造によるとカードを挿入した時、バネ部材により弾圧される挿入防止部材により、カードはスロット内に抑止され、飛び出しを防止する作用がある。
【００１８】
【発明の効果】
本発明によれば、１種類のカードが挿入された場合、他のスロットにはカードが挿入出来なくなり、誤挿入による回路のフリーズを未然に防止することができる。
【図面の簡単な説明】
【図１】本発明の実施例１の正面図。
【図２】上のスロットにカードＡを挿入した場合の本発明実施例の正面図。
【図３】下のスロットにカードＢを挿入した場合の本発明実施例の正面図。
【図４】本発明の実施例４の斜視図。
【図５】本発明の実施例４の分解斜視図。
【図６】実施例４における挿入防止部材の動作説明図。
【符号の説明】
１　　　　　　ハウジング
２，３　　　　スロット
４　　　　　　挿入防止部材
４ａ，４ｂ　　遮断部
４ａ’，４ｂ’　テーパ面
５　　　　　　軸
６　　　　　　バネ部材
【図１】
2004070640.tif 000003
【図２】
2004070640.tif 000004
【図３】
2004070640.tif 000005
【図４】
2004070640.tif 000006
【図５】
2004070640.tif 000007
【図６】
2004070640.tif 000008
(57)【要約】【課題】データ量を減じ伝送に要する時間を短くする。【解決手段】上位コントローラとエンコーダの間でイニシャルの設定を行う第１の通信時にエンコーダの保有するアブソリュートの全データを送り、ポジションループを組む第２の通信状態において、データ変化の有る上位数ビット周辺のデータとそのビット位置を表すデータを送る。【選択図】　　図１
2004070693.tif 000002
【特許請求の範囲】
【請求項１】
上位コントローラとエンコーダの間でイニシャルの設定を行う第１の通信時にエンコーダの保有するアブソリュートの全データを送り、ポジションループを組む第２の通信状態において、
データ変化の有る上位数ビット周辺のデータとそのビット位置を表すデータを送ることで送信データの圧縮を可能としたシリアルエンコーダのデータ伝送方式。
【発明の詳細な説明】
【０００１】
【発明の属する技術分野】
本発明はＦＡ、ロボット等に使用されるシリアルエンコーダのデータ送出方式に関する。
【０００２】
【従来の技術】
従来の技術では、１対１で接続されたシリアルエンコーダは常時全てのデータを送出するに十分な時間的余裕があった。
【０００３】
【発明が解決しようとする課題】
しかしながら、デージーチェーンにして複数軸分のデータを送ろうとすると、伝送時間が長くなると言う問題点がある。
そこで、本発明はデータ量を減じ伝送に要する時間を短くするということを目的とする。
【０００４】
【課題を解決するための手段】
上記課題を解決するために本発明は、置データを圧縮して送る事でデータ量を減じ伝送に要する時間を短くする。
【０００５】
【発明の実施の形態】
本発明の実施例を図に基いて説明する。
特許０２０３７６９８号に開示されたデータ伝送システムでは、イニシャル時コントローラとエンコーダはポジションループを組む前に冗長な通信を行いエンコーダやモータのＩＤ情報等を取得するものである。これを本発明では第１の通信状態とし、この時にコントローラの必要とされる全ての情報が送出される、即ちアブソリュートの全データはこの時に送出される。ポジションループを組む第２の状態では１対１の通信で有れば図１のＡの様に長い時間を確保出来るがＢの様にＲＥＱに対して６軸が時間間隔で応答するシステムでは１軸当たりのデータ量は少なくなるのは明白である、この多軸のシステムは本発明とは直接関係無いので説明を略す。ここでデータを圧縮する手法として考案したのが本発明である。
【０００６】
本発明の特徴は以下のとおりである。
ロボットＦＡのセンサーは位置決め等に用いる物でエンコーダ速度曲線は図２の様になる。第２の通信状態ではアブソリュートの全ての値を送らずに図１の一定のサンプリングタイムＴｎに変化の有ったビットデータを中心とした値のデータと、その位を示すデータを送り、コントローラは第１の通信状態で送られたアブソリュートの全データと合成する事で正確なアブソリュートの値を得る物である。
図３において、▲１▼の停止状態では１２ビットのデータ枠が有りデータ変化が無いので枠の位置を示すデータは０でコントローラに送るデータは枠内部のデータ２２４と枠位置データ０を合成して２２４０となる、同じ様に加速中のデータ▲２▼は変化の有るデータの８ビットとこの上の４ビット枠位置７とで９ＸＸ７となる同様に▲３▼は８ＸＸＢとなる枠幅はコントローラが必要とするダイナミックレンジ有れば良い、枠位置のデータがオーバーフローしても事前の経緯から判断出きる。
【０００７】
【発明の効果】
以上述べたように本発明は、マルチドロップ等多軸をまとめたエンコーダシステムでデータの圧縮ができ多くの軸を伝送ラインにつなぐ事が出来る。
【図面の簡単な説明】
【図１】本発明の説明図
【図２】本発明の説明図
【図３】本発明の説明図
【符号の説明】
Ｔｎ　サンプリングタイム
【図１】
2004070693.tif 000003
【図２】
2004070693.tif 000004
【図３】
2004070693.tif 000005
(57)【要約】【課題】１種類のカードが挿入された場合、他のカードスロットにはメモリーカードが挿入できなくなるようになる、即ち１種類のメモリーカードしか挿入できないようにしたマルチメモリーカードリーダ装置を提供することを課題とする。【解決手段】複数のカードスロットＡ，Ｂを左右に配置したマルチメモリーカードリーダ装置の前面板の前方にマスクカバー２を横動自在に設ける。このマスクカバー２に各カードスロットの開口部にそれぞれ適合した挿入孔ａ，ｂを設けると共に、１種類のメモリーカードが挿入された時は他の種類の挿入孔は対応するカードスロットから偏位するように配置し、且つ各カードスロットと挿入孔にカード案内用テーパー部ｔを設ける。【選択図】　図１
2004070641.tif 000002
【特許請求の範囲】
【請求項１】
複数のカードスロットを左右に配置したマルチメモリーカードリーダ装置において、各カードスロットの開口部それぞれに適合した挿入孔を設けたマスクカバーをカードスロットの前面に横動自在に設けるとともに、１種類のメモリーカードが挿入された時、他の挿入孔は対応するカードスロットから側方へ偏位するように配置し、且つ各カードスロットと挿入孔にカード案内用テーパー部を設けたことを特徴とするマルチメモリーカードリーダ装置。
【発明の詳細な説明】
【０００１】
【発明の属する技術分野】
本発明は、スマートメディア、コンパクトフラッシュ（登録商標）、メモリースティック、ＳＤカード、ＭＭＣマイクロドライブ等の２種類以上の大きさの異なるカードスロットを有するマルチメモリーカードリーダ装置に関し、詳しくは１種類のメモリーカードを挿入したとき、他のカードスロットにはメモリーカードを挿入できないようにしたマルチメモリーカードリーダ装置に関するものである。
【０００２】
【従来の技術】
周知のように、マルチメモリーカードリーダ装置は、各メモリーカード専用のカードスロットを複数並設したものであるが、２種類以上のメモリーカードを誤挿入すると、回路がフリーズしてしまうことがあった。
【０００３】
【発明が解決しようとする課題】
そこで、本発明は、１種類のメモリーカードが挿入された場合、他のカードスロットにはカードが挿入できなくなるようになる、即ち１種類のメモリーカードしか挿入できないようにしたマルチメモリーカードリーダ装置を提供することを課題とするものである。
【０００４】
【課題を解決するための手段】
本発明は上記の課題を解決するためになされたもので、複数のカードスロットを左右に配置したマルチメモリーカードリーダ装置において、各カードスロットの開口部それぞれに適合した挿入孔を設けたマスクカバーをカードスロットの前面に横動自在に設けるとともに、１種類のメモリーカードが挿入されたとき他の挿入孔は対応するカードスロットから側方へ偏位するように配置し、且つ各カードスロットと挿入孔にカード案内用テーパー部を設けたものである。
【０００５】
【作用】
挿入孔に所定のメモリーカードを挿入すると、マスクカバーが摺動して所定のカードスロットと挿入孔が一致して、メモリーカードの挿入ができる。と同時に他の挿入孔は対応するカードスロットに対し、横にずれるため、メモリーカードの挿入を行うことが出来なくなる。
【０００６】
【発明の実施の形態】
図１は、本発明の実施例１を示すもので、１はプラスチック等の厚板から成るマルチメモリーカードリーダ装置の前面板で、左右にカードスロットＡとＢが設けられている。２は同じくプラスチック等の厚板から成るマスクカバーで、前面板１の前面に横動自在に設けられていて、カードスロットＡ，Ｂに適合した挿入孔ａ，ｂの一方が対応するカードスロットＡ又はＢと一致したとき，他の挿入孔は対応するカードスロットと側方にずれるように挿入孔ａ，ｂは設けられている。そうして、カードスロットＡ，Ｂ及び挿入孔ａ，ｂの入り口側にはそれぞれカード案内用テーパー部ｔが設けられている。
【０００７】
したがって、図１のようにメモリーカードＭＫ−Ａを挿入孔ａに挿入すると、挿入孔ａは横に移動し、対応するカードスロットＡに一致するため、メモリーカードＭＫ−ＡをカードスロットＡに挿入することができる。この場合、挿入孔ｂはカードスロットＢとずれてしまうため、メモリーカードＭＫ−Ｂを挿入できない状態となる。
【０００８】
次に前記メモリーカードＭＫ−ＡをカードスロットＡから抜くと、マスクカバー２は自由になるので、メモリーカードＭＫ−Ｂを挿入孔ｂに挿入すると、メモリーカードＭＫ−Ｂの先端はテーパー部ｔに案内され、前進し乍らマスクカバー２を左方に移動させ、カードスロットＢと図２に示すように一致したとき、メモリーカードＭＫ−Ｂの挿入が行われる。
【０００９】
メモリーカードＭＫ−Ａ又はメモリーカードＭＫ−Ｂの挿入状態ではマスクカバー２はメモリーカードによって拘束されているので、他のメモリーカードの挿入は阻止されることになる。
【００１０】
図３は前面板及びマスクカバーを金属、プラスチック等の薄板で製作した場合の実施例２を示すもので、同一部分は同一符号を付した。
【００１１】
【発明の効果】
以上のように本発明によれば、１種類のメモリーカードを挿入すれば、他の種類のメモリーカードはスライドカバーの挿入孔と本体のコネクタの開口部（カードスロット）がずれて一致しないため、挿入不能状態となり、他の種類のメモリーカードを誤挿入することがない。
【図面の簡単な説明】
【図１】メモリーカードＭＫ−Ａを挿入した場合の実施例１の断面図。
【図２】メモリーカードＭＫ−Ｂを挿入した場合の実施例１の断面図。
【図３】本発明の実施例２の断面図。
【符号の説明】
１　　　　前面板
２　　　　マスクカバー
【図１】
2004070641.tif 000003
【図２】
2004070641.tif 000004
【図３】
2004070641.tif 000005
(57)【要約】【課題】各ＲＯＭ別に不良の検出が可能であり、サム値の管理も容易となるＲＯＭ検査システムを提供する。【解決手段】プリント基板４に少なくともプログラムなどのデータが記憶された２つ以上のＲＯＭ１、２と共に搭載されるＣＰＵ３と、外部の判定装置５とが通信手段６により接続されたＲＯＭ検査システムにおいて、前記ＣＰＵ３は、２つ以上の前記ＲＯＭ１、２のサム値を個別に計算しその２つ以上のサム値をビット結合した結果を前記通信手段６により前記判定装置５へ出力し、前記判定装置５は、予め格納されていたサム値と前記ＣＰＵ３から送られたサム値を比較することにより前記ＲＯＭ１、２の個別検査を行う。【選択図】　　　　図１
2004070815.tif 000002
【特許請求の範囲】
【請求項１】
プリント基板に少なくともプログラムなどのデータが記憶された２つ以上のＲＯＭと共に搭載されるＣＰＵと、外部の判定装置とが通信手段により接続されたＲＯＭ検査システムにおいて、前記ＣＰＵは、２つ以上の前記ＲＯＭのサム値を個別に計算しその２つ以上のサム値をビット結合した結果を前記通信手段により前記判定装置へ出力し、前記判定装置は、予め格納されていたサム値と前記ＣＰＵから送られたサム値を比較することにより前記ＲＯＭの個別検査を行うことを特徴とするＲＯＭ検査システム。
【請求項２】
前記判定装置はパソコンで構成されることを特徴とするＲＯＭ検査システム。
【発明の詳細な説明】
【０００１】
【発明の属する技術分野】
本発明は、プリント基板に実装されたＲＯＭに期待されたデータが書き込まれているかを検査するＲＯＭ検査システム（ファンクションテスタ）に関するもので、さらに詳しくは、複数個のＲＯＭを必要とする高機能基板のＲＯＭ検査システムに関するものである。
【０００２】
【従来の技術】
一般にＲＯＭに書き込まれたデータの検査にはサム値による検査やＣＲＣによる検査が用いられている。複数個のＲＯＭが搭載されている場合には上記検査方式の他にサム値やＣＲＣを個別に計算し、検査を行うという方式も用いられている。また、予めＲＯＭ内部に正しいサム値を書き込んでおくことにより、ＣＰＵ自身で判定を行う方式も用いられている。
【０００３】
【発明が解決しようとする課題】
最近ではシステムの高機能化によるＲＯＭ容量の増大やバス幅の拡大により、複数個のＲＯＭが１枚のプリント基板に搭載されることが多くなった。またＲＯＭに書き込まれるデータの変更頻度も多くなってきている。
【０００４】
この場合従来の方式ではエラーが発生した場合、複数個のＲＯＭの内どれが不良であるのか区別することが不可能である。また個別にサム値を検査する方式では複数個のサム値を管理する必要があり、ＲＯＭに書き込まれたデータが変更された場合などに非常に面倒である。
【０００５】
またサム値を予めＲＯＭ内部に記憶させておくという方式では、ＲＯＭに書き込むデータが複数ある場合、どのデータが書き込まれているかの判定を行うことは不可能である。
【０００６】
本発明は上記問題点を解消し、各ＲＯＭ別に不良の検出が可能であり、サム値の管理も容易となるＲＯＭ検査システムを提供することを目的とする。
【０００７】
【課題を解決するための手段】
上記目的を達成するために、請求項１記載の発明は、プリント基板に少なくともプログラムなどのデータが記憶された２つ以上のＲＯＭと共に搭載されるＣＰＵと、外部の判定装置とが通信手段により接続されたＲＯＭ検査システムにおいて、前記ＣＰＵは、２つ以上の前記ＲＯＭのサム値を個別に計算しその２つ以上のサム値をビット結合した結果を前記通信手段により前記判定装置へ出力し、前記判定装置は、予め格納されていたサム値と前記ＣＰＵから送られたサム値を比較することにより前記ＲＯＭの個別検査を行うＲＯＭ検査システムを最も主要な特徴とする。
【０００８】
請求項２記載の発明は、前記判定装置はパソコンで構成されるＲＯＭ検査システムを主要な特徴とする。
【０００９】
本発明は、複数個のＲＯＭのサム値を個別に計算し、そのサム値をビット結合し、１つのサム値とすることにより、エラー発生時にどのＲＯＭが不良であるかの判定が可能となり、かつサム値の管理が容易となる。
【００１０】
【発明の実施の形態】
以下、図面により本発明の実施の形態を詳細に説明する。
図１は本発明の実施の形態に係るＲＯＭ検査システムの構成図である。この実施形態では２つのＲＯＭ（ＲＯＭ１、ＲＯＭ２）とＣＰＵ３を搭載し、シリアル通信機能を備えたプリント基板４におけるＲＯＭ検査方法について説明する。
【００１１】
サム値の比較を行う判定装置（検査制御装置）としてはパソコン５を使用することとする。本ＲＯＭ検査システムは、ＣＰＵ３とパソコン５が通信手段６で接続されることにより構成されている。
【００１２】
まずＣＰＵ３の起動時の自己診断機能、もしくはパソコン５からの検査コマンドにより、ＣＰＵ３はＲＯＭ１およびＲＯＭ２のサム値をそれぞれ計算する。サム値はそれぞれ１６ビットのデータとして計算を行う。この結果をそれぞれＳＵＭ１、ＳＵＭ２とする。
【００１３】
次にこのＳＵＭ１、ＳＵＭ２のビット結合を行う。ビット結合には様々な方法があるが、ここではＳＵＭ２を１６ビット左にシフトした値と、ＳＵＭ２との和とることとする（以下の記述を参照）。ビット結合によりサム値は３２ビットの値（ＳＵＭ３）となる。
ＳＵＭ３　＝　ＳＵＭ１を１６ビット左にシフト　＋　ＳＵＭ２；
例えばＳＵＭ１が１２３４Ｈｅｘ、ＳＵＭ２が５６７８Ｈｅｘであれば、ＳＵＭ３は１２３４５６７８Ｈｅｘとなる。
【００１４】
次にＳＵＭ３を通信手段６によるシリアル通信によりパソコン５へ送信する。パソコン５側では予め格納しているサム値ＳＵＭ４と受信したＳＵＭ３を比較することにより、良否判定を行う。
【００１５】
エラーが発生していた場合、そのエラーが上位１６ビット（ＲＯＭ１）で発生しているか、下位１６ビット（ＲＯＭ２）で発生しているか、両方で発生しているかを判定することにより、不良個所の特定を行う。
【００１６】
【発明の効果】
以上説明したように、本発明によれば、複数個のＲＯＭを搭載したプリント基板におけるＲＯＭ書き込みデータの検査において、各ＲＯＭ別に不良の検出が可能であり、サム値の管理も一つの書き込みデータに関して一つのサム値ですむため非常に容易となる。
【図面の簡単な説明】
【図１】本発明の実施の形態に係るＲＯＭ検査システムの構成図である。
【符号の説明】
１、２　ＲＯＭ
３　ＣＰＵ
４　プリント基板
５　パソコン（判定装置）
６　通信手段
【図１】
2004070815.tif 000003
(57)【要約】　　　（修正有）【課題】入金は各人格の自由意志で行えるが、出金のみは単独印では行えないようにしたシステムの提供。【解決手段】預金開始時に登録印鑑・登録カードを定め、印鑑のみならず必要とする本人確認手段、例えば写真・指紋・音声等を複数人格分登録する。複数人格のアイデンティティの整合を銀行側が確認できた時点でのみ出金手段を許可する。【選択図】　　図１
2004070898.tif 000002
【特許請求の範囲】
【請求項１】
予め銀行に登録された複数人格のそれぞれの人格の識別手段としての印鑑・指紋・音声・暗証番号カード等の複数人格のアイデンチチーの整合をコンピュウターによって銀行側が確認できた時点でのみ出金手続きを行い得るようにした預金方式。
【発明の詳細な説明】
【０００１】
【産業上の利用分野】
従来の預金通帳の出金はおおむね特定印鑑単一で出金出来るようにしおり、オンライン方式においても同様でその管理は専ら金銭の出入管理責任者の単一印鑑で行っているが、それが仮に法人経営責任者であろうが個人であろうが金銭管理と出金管理との区別は銀行の出金側には当然判別でき無いが，そのためのトラブルは銀行には無関係のため放置されていた。出金時点において銀行制度で解決しておけば防ぎ得るに拘わらず従来その制度が欠如している。本ビジネス特許はこれを解決するものである。
【０００２】
【従来の技術】
通帳に押印欄があるが、最近盗難その他の通帳紛失時のトラブルのため登録された印鑑は銀行で集中管理されるようになっており、又オンライン方式でも定期預金等の解約はカード引出時に別の暗誦番号を追加指示する等の処置を行うところもあるが複数人格の同意を要求する制度は無い。何れにしろ本発明はその印鑑または暗誦番号を、必要なら複数人の登録に変えてそのそれぞれの登録人の同意無くしては出金を防止出来るようにして、入金は各人格の自由意志で行えるが、出金のみは単独印では行えないようにしたシステムについてのビジネス発明である。
【０００３】
【発明が解決しようとする課題】
銀行側の自動照合システムを上記の複数人格の整合システムに変更することで技術上の難点はなく実行は容易である。現状の方法では複数印鑑を結合するホルダー等の方式にしても各人格の確認にはならない。
【０００４】
【課題を解決するための手段】
登録部門における手順の標準化と制度の改変のみで他に障害は考えられない。
【０００５】
【作用】
複数の同意無くしては降ろし得ない預金通帳は会社の法的手続きも省略でき確実簡易になり、印鑑等の保管上の安全も確保でき、また個人の場合も親子、夫婦、兄弟等の面倒な同意手続きも省けて各人の印鑑管理・カード管理のみで済まされる便利さがある。例えば結婚時の将来の家庭設計等として銀行の預金勧誘の武器ともなり、頗るその効用は広い。
【０００６】
【実施例】
システムのフローシートとして預金開始時に登録印鑑・登録カードを定め、印鑑のみならず必要とする本人確認手段例えば写真・指紋・音声等を預金時に複数人格を登録するシステムを用いてオンライン払い出し方式時に提示した時点で払い出し可能とする。
図は預金者１・預金者２…は単独自由に預金出来るが、出金時には銀行側の各人格の同意の確認を求めた事となることを示している。
【図面の簡単な説明】
【図１】本システムのフローシート
【図１】
2004070898.tif 000003